(57)【要約】【課題】像域分離を、メモリ容量を比較的要することなく実現し得るカラー画像処理装置を提供する。【解決手段】一定間隔ずらして配置されるＲ、Ｇ、Ｂラインのイメージセンサ２Ｒ、２Ｇ、２Ｂの読み取り出力を、Ｂ信号を基準にしてＲ信号、Ｇ信号をライン補正メモリ６Ｒ、６Ｇで遅延させて、同一走査ライン上のＲ、Ｇ、Ｂの信号をタイミングを一致させて出力する一方、ライン補正メモリ６Ｒ、６ＧのＲ、Ｇの記憶データを第２の色変換部１１に入力し、Ｒ、Ｇの成分をＹ’信号に変換し、像域分離部１２で３×３のウインドゥを用いて、Ｙ’信号より、各画素の特徴を抽出し、像域分離を行う。【選択図】　　　図１
2004080392.tif 000002
【特許請求の範囲】
【請求項１】
所定の間隔をおいて配置され、異なる色成分の画像信号を出力する複数のラインイメージセンサと、ラインイメージセンサからの画像信号を記憶し、各成分の画像信号が同時に出力されるライン補正メモリとを備えたカラー画像処理装置において、
ライン補正メモリに格納された少なくとも１成分の画像信号に基づき、像域分離を行うことを特徴とするカラー画像処理装置。
【請求項２】
前記像域分離は、２成分の画像信号に基づき、明るさ成分を算出し、明るさ成分に基づき行うことを特徴とする請求項１記載のカラー画像処理装置。
【請求項３】
前記像域分離は、所定の画素からなるウインドゥに基づき行うことを特徴とする請求項２記載のカラー画像処理装置。
【発明の詳細な説明】
【０００１】
【発明の属する技術分野】
この発明は、ディジタルカラーコピー機などのカラー画像処理装置に関する。
【０００２】
【従来の技術】
一般に、ディジタルカラーコピー機には、所定の間隔をおいてラインイメージセンサを配置し、各色成分についての画像信号を得る場合に、各色成分について、同時に同じラインを読み取ることができないため、ラインずれ補正のためのメモリが設けられている。従来のこの種のディジタルカラーコピー機は、図２に示すように、Ｒ信号処理部１Ｒと、Ｇ信号処理部１Ｇと、Ｂ信号処理部１Ｂと、色変換部７と、画像処理部８と、ラインバッファ９と、プリンタ１０とを備えている。
【０００３】
Ｒ信号処理部１Ｒは、ラインイメージセンサ２Ｒと、アナログフロントエンド回路３Ｒと、Ａ／Ｄ変換部４Ｒと、シェーディング補正回路５Ｒと、ライン補正メモリ６Ｒとを備えている。また、Ｇ信号処理部１Ｇも、Ｒ信号処理部１Ｒと同様の回路を備えている。更にＢ信号処理部１Ｂは、ライン補正メモリを備えていないが、他はＲ信号処理部１Ｒ、Ｇ信号処理部１Ｇと同様の回路を備えている。ここで、Ｂ信号処理部１Ｂにライン補正メモリを備えていないのは、Ｂ信号を基準にして、他のＲ信号、Ｇ信号を遅延するためである。
【０００４】
ラインイメージセンサ２Ｒは、ＣＣＤで構成され、カラー原稿の１走査ラインの画像のＲ信号を分離して読み取り、所定間隔をおいて、次の走査ラインのＢ画像を順次に読み取る。アナログフロントエンド回路３Ｒは、ラインイメージセンサ２Ｒの出力を受けて、アナログ増幅する。Ａ／Ｄ変換部４Ｒは、アナログフロントエンド回路３Ｒのアナログ出力を受け、ディジタル信号に変換する。シェーディング補正回路５Ｒは、ここではシェーディングＲＡＭを含み、シェーディングＲＡＭには記録用紙読み取り時のＡ／Ｄ変換部４Ｒの出力をシェーディング補正データとして記憶している。シェーディング補正回路５Ｒは、原稿読み取り時のＡ／Ｄ変換部４Ｒの出力をシェーディング補正データにより、補正して出力する。ライン補正メモリ６Ｒは、シェーディング補正回路６Ｒの出力を受けて、所定ライン分遅延させて出力する。他のＧ信号処理部１Ｇ、Ｂ信号処理部１Ｂを構成する各回路も同様である。
【０００５】
今、ラインイメージセンサ２Ｒ、２Ｇ、２Ｂのそれぞれの間隔が４ライン分に相当するとすれば、同ラインの読み取りタイミングは図３に示すものとなり、シェーディング補正回路５Ｒから走査ライン１の信号出力されてから、４ライン分遅れてシェーディング補正回路５Ｇから走査ライン１のＧ信号が出力され、更に４ライン分遅れてシェーディング補正回路５Ｂから走査ライン１のＢ信号が出力される。Ｒ信号は、ライン補正メモリ６Ｒで８ライン分遅延されて、Ｇ信号はライン補正メモリ６Ｇで４ライン分遅延されて、色変換部７に入力される。そのため、色変換部７に入力されるＲ、Ｇ、Ｂの信号は同一走査ライン上のものとなり、色変換部７では、Ｒ、Ｇ、Ｂの色信号をＬ＊　、ａ＊　、ｂ＊　に変換することができる。
【０００６】
色変換部７でＬ＊　、ａ＊　、ｂ＊　に変換されたデータは、画像処理部８を経て、プリンタ１０に供給されるが、画像処理部８では、他方、ラインバッファ９に記憶してある少なくとも３ライン分のデータに基づき、３×３のウインドゥを用いて、像域判別を行い、つまり文字／罫線の領域、写真の領域の分離を行い、像域分離に対応した画像処理を行い、プリンタ１０での高画質プリントを確保するようにしている。
【０００７】
【発明が解決しようとする課題】
上記した従来のディジタルカラーコピー機において、像域分離は色変換部から出力されたデータを用いて行っているため、像域分離を終了するまで、画像データは遅延させて出力させる必要があり、そのために、例えば３×３のウインドゥを用いて像域分離を行うために、Ｌ＊　信号については１画素のビット数×主走査方向の画素数×（遅延ライン数−１）のセル数のラインバッファを必要とし、また、ａ＊　信号、ｂ＊　信号にも同様にラインバッファが必要とされ、像域分離機能を持たせるためにコスト高になるという問題があった。
【０００８】
ところで、上記従来ディジタルカラーコピー機のライン補正メモリは、上記したように、基本的にはＲ、Ｇ、Ｂ分離色信号のタイミング調整のためのものであるが、ある程度のライン数の画像データが格納されているので、このライン補正メモリを用いて、白黒／カラーの判別に用いたり、原稿サイズ判別、自動濃度調整に用いた技術が特許第２９２５１３９号公報に開示されている。
【０００９】
この発明は上記問題点に着目してなされたものであって、ライン補正メモリを更に活用し、像域分離をメモリ容量を比較的要することなく、実現し得るカラー画像処理装置を提供することを目的としている。
【００１０】
【課題を解決するための手段】
この発明のカラー画像処理装置は、所定の間隔をおいて配置され、異なる色成分の画像信号を出力する複数のラインイメージセンサと、ラインイメージセンサからの画像信号を記憶し、各成分の画像信号が同時に出力されるライン補正メモリとを備えたカラー画像処理装置において、ライン補正メモリに格納された少なくとも１成分の画像信号に基づき、像域分離を行うものである。
【００１１】
この発明において、像域分離は、２成分の画像信号に基づき、明るさ成分を算出し、明るさ成分に基づき行うこととしても良い。
【００１２】
また、この発明において、像域分離は、所定の画素からなるウインドゥに基づき行うことができる。
【００１３】
【発明の実施の形態】
以下、実施の形態により、この発明をさらに詳細に説明する。図１は、この発明の一実施形態であるディジタルカラーコピー機の構成を示すブロック図である。この実施形態ディジタルカラーコピー機は、Ｒ信号処理部１Ｒと、Ｇ信号処理部１Ｇと、Ｂ信号処理部１Ｂと、色変換部７と、画像処理部８と、プリンタ１０と、第２の色変換部１１と、像域分離部１２と、ラインメモリ１３、１３’を備えている。
【００１４】
この実施形態ディジタルカラーコピー機において、特徴点は、第２の色変換部１１と、像域分離部１２とを備えたことである。また、Ｒ信号処理部１Ｒはシェーディング補正回路５Ｒの出力側に２つのライン補正メモリ６Ｒ、６Ｒ’をシリアル接続している。このライン補正メモリ６Ｒ、６Ｒ’は、容量が合わせて８ライン分であり、この点で、図２のライン補正メモリ６Ｒと同じである。しかし、前段のライン補正メモリ６Ｒは４ライン分を遅延させるものであり、出力を第２色変換部１１に入力している。また、後段のライン補正メモリ６Ｒ’も４ライン分を遅延させるものであり、出力を色変換部７に入力している。その外のＲ信号処理部１Ｒと、Ｇ信号処理部１Ｇと、Ｂ信号処理部１Ｂと、色変換部７と、画像処理部８と、プリンタ１０は、図２に示した従来のものと同様である。
【００１５】
この実施形態においては、ライン補正メモリ６Ｒ’と、ライン補正メモリ６Ｇの出力及びシェーディング補正回路５Ｂの出力は、色変換部７に入力される。また、ライン補正メモリ６Ｒの出力とシェーディング補正回路５Ｇの出力が第２の色変換部１１に入力される。
【００１６】
第２の色変換部１１は、Ｒ信号とＧ信号を受け、ＲＧ成分よりＹ’成分に変換する。色空間ＹＣｒＣｂでＹはＲ、Ｇ、Ｂ入力に対し、０．２９９Ｒ＋０．５８７Ｇ＋０．１１４Ｂで計算されるが、ここではＹ’＝０．２９９Ｒ＋０．５８７Ｇで近似的に輝度を算出している。
【００１７】
像域分離部１２は、第２の色変換部１１よりＹ’を受けて、像域分離を行う。像域分離は画素３×３のウインドゥを用いて、各画素毎に文字／罫線の領域、写真の領域の別に像域分離を行う。３×３のウインドゥを使用するので、３ライン分のＹ’信号であるデータを要する。そのため、第２の色変換部１１から出力され、ラインメモリ１３、１３’より出力されたデータと、ラインメモリ１３から出力されたデータと、第２の色変換部１１から出力された合わせて３ライン分のデータが像域分離部１２に入力されている。もっとも、初期段階では、３ライン分のデータはないので、図３に示すＲ信号の５ライン目がライン補正メモリ６Ｒから、またシェーディング補正回路５Ｇからの１ライン目が第２の色変換部１１からＹ’信号として出力されるタイミングと、更にこれがライン補正メモリ１３で遅延されるタイミングに、第２の色変換部１１の出力、ライン補正メモリ１３の出力、更にそれより前のライン補正メモリ１３’から出力される仮想のＹ’データ１ライン分に基づき、つまり２ライン分のデータと仮想１ライン分のデータとにより、像域判定が行われる。そして、図３に示すように、Ｒ信号の６ライン目、Ｇ信号の２ライン目に、像域分離の出力Ｏｕｔの１ライン目が得られる。もっとも、この実施形態では、Ｒ、Ｇ、Ｂの各ラインセンサ間を４ライン分として説明したが、この発明は各ラインセンサ間のライン数の種々の状況に応じて、対応したライン数のライン補正メモリ６Ｒ、６Ｒ’を使用すると良い。
【００１８】
【発明の効果】
この発明によれば、ライン補正メモリに格納されている画像信号に基づいて、像域分離を行い、分離された領域について適切な画像処理を行うことができるので、バッファメモリの大容量化を招くことなく、再現性の良いカラー画像データを得ることができる。
【図面の簡単な説明】
【図１】この発明の一実施形態であるディジタルカラーコピー機の構成を示すブロック図である。
【図２】従来のディジタルカラーコピー機の構成を示すブロック図である。
【図３】ディジタルカラーコピー機のＲ、Ｇ、Ｂ信号の同一走査ライン上の読み取りタイミングを示す図である。
【符号の説明】
１Ｒ　　　　　　　　Ｒ信号処理部
１Ｇ　　　　　　　　Ｇ信号処理部
１Ｂ　　　　　　　　Ｂ信号処理部
２Ｒ、２Ｇ、２Ｂ　　ラインイメージセンサ
３Ｒ、３Ｇ、３Ｂ　　アナログフロントエンド回路
４Ｒ、４Ｇ、４Ｂ　　Ａ／Ｄ変換部
５Ｒ、５Ｇ、５Ｂ　　シェーディング補正回路
７　　　　　　　　　色変換部
８　　　　　　　　　画像処理部
１０　　　　　　　　プリンタ
１１　　　　　　　　第２の色変換部
１２　　　　　　　　像域分離部
【図１】
2004080392.tif 000003
【図２】
2004080392.tif 000004
【図３】
2004080392.tif 000005